(57)【要約】【課題】  読み出し専用のICチップによる高速な改札処理を実現する。【解決手段】  発券時に、ICチップに割り当てられた固有ID、発券駅、利用者が入力した目的地または運賃を、センタシステムに登録し、この際、センタシステムが交通チケットによる入場を許可する駅を決定し、入場を許可する駅の改札機に入場を許可するIDリストを配信しておき、利用者が改札機に入場する際には、入場を許可するIDリストと交通チケットのIDを照合することにより入場可否を判定し、ここで、入場を許可した際には、交通チケットの固有ID、入場駅をセンタシステムに登録し、センタシステムが交通チケットによる出場を許可する駅を決定し、出場を許可する駅の改札機に出場を許可するIDリストを配信しておき、次に、利用者が改札機を出場する際に、出場を許可するIDリストと交通チケットのIDを照合することにより出場可否を判定する。【選択図】図1
2008033700.tif 000002
【特許請求の範囲】
【請求項１】
チケットを用いて入出場を管理する自動改札方法において、
券売機が、読み出し専用のICチップが格納されたチケットを利用者に発券するステップと、
センタシステムが、前記ICチップの識別情報、前記チケットの発券場所の識別情報、目的地または運賃を記憶するステップと、
前記センタシステムが、前記チケットによる入場を許可する場所の改札機に、前記ICチップの識別情報を登録するステップと、
前記入場を許可する場所の改札機が、前記利用者の入場時に、前記ICチップの識別情報を予め登録された前記ICチップの識別情報と照合することにより入場可否を判定するステップと、
前記センタシステムが、前記チケットによる出場を許可する場所の改札機に、前記ICチップの識別情報を登録するステップと、
前記出場を許可する場所の改札機が、前記利用者の出場時に、前記ICチップの識別情報を予め登録された前記ICチップの識別情報と照合することにより出場可否を判定するステップとを有することを特徴とする自動改札方法。
【請求項２】
チケットを用いて入出場を管理する自動改札方法において、
券売機が、近傍型と遠隔型の２つ以上の読み出し専用のICチップが格納されたチケットを利用者に発券するステップと、
センタ装置が、前記近傍型ICチップの識別情報、前記遠隔型ICチップの識別情報、前記チケットの発券場所、目的地または運賃を記憶するステップと、
前記センタ装置が、前記チケットによる入場を許可する場所の管理装置に、前記近傍型ICチップの識別情報と前記遠隔型ICチップの識別情報を登録するステップと、
前記チケットによる入場を許可する場所の改札機が、前記利用者が入場のため改札機に接近した場合に、前記利用者が携帯する前記チケットから前記遠隔型ICチップの識別情報を読み込むステップと、
前記チケットによる入場を許可する場所の管理装置が、前記チケットによる入場を許可する場所の改札機によって読み込まれた前記遠隔型ICチップの識別情報を予め登録された前記遠隔型ICチップの識別情報と照合するステップと、
前記チケットによる入場を許可する場所の前記管理装置が、前記遠隔型ICチップの識別情報の照合に成功した場合に、前記遠隔型ICチップの識別情報に対応する前記近傍型ICチップの識別情報を前記チケットによる入場を許可する場所の改札機に登録するステップと、
前記チケットによる入場を許可する場所の改札機が、前記利用者の入場時に、前記近傍型ICチップの識別情報を予め登録された前記近隔型ICチップの識別情報と照合することにより入場可否を判定するステップと、
前記センタ装置が、前記チケットによる出場を許可する場所の管理装置に、前記近傍型ICチップの識別情報と前記遠隔型ICチップの識別情報を登録するステップと、
前記チケットによる出場を許可する場所の改札機が、前記利用者が出場のため改札に接近した場合に、前記利用者が携帯する前記チケットから前記遠隔型ICチップの識別情報を読み込むステップと、
前記チケットによる出場を許可する場所の管理装置が、前記チケットによる出場を許可する場所の改札機によって読み込まれた前記遠隔型ICチップの識別情報を予め登録された前記遠隔型ICチップの識別情報と照合するステップと、
前記チケットによる出場を許可する場所の管理装置が、前記遠隔型ICチップの識別情報の照合に成功した場合に、前記遠隔型ICチップの識別情報に対応する前記近傍型ICチップの識別情報を前記チケットによる出場を許可する場所の改札機に登録するステップと、
前記チケットによる出場を許可する場所の改札機が、前記利用者の出場時に、前記近傍型ICチップの識別情報を予め登録された前記近隔型ICチップの識別情報と照合することにより出場可否を判定するステップを有することを特徴とする自動改札方法。
【請求項３】
チケットを用いて入出場を管理する自動改札システムにおいて、
券売機と、センタシステムと、改札機とを有し、
前記券売機は、読み出し専用のICチップが格納されたチケットを利用者に発券する手段を有し、
前記センタシステムは、前記ICチップの識別情報、前記チケットの発券場所の識別情報、目的地または運賃を記憶する手段と、前記チケットによる入場を許可する場所の改札機に、前記ICチップの識別情報を登録する手段とを有し、
前記入場を許可する場所の改札機は、前記利用者の入場時に、前記ICチップの識別情報を予め登録された前記ICチップの識別情報と照合することにより入場可否を判定する手段を有し、
前記センタシステムは、さらに、前記チケットによる出場を許可する場所の改札機に、前記ICチップの識別情報を登録する手段を有し、
前記出場を許可する場所の改札機は、前記利用者の出場時に、前記ICチップの識別情報を予め登録された前記ICチップの識別情報と照合することにより出場可否を判定する手段を有することを特徴とする自動改札システム。
【請求項４】
チケットを用いて入出場を管理する自動改札システムにおいて、
券売機と、センタ装置と、管理装置と、改札機とを有し、
前記券売機は、近傍型と遠隔型の２つ以上の読み出し専用のICチップが格納されたチケットを利用者に発券する手段を有し、
前記センタ装置は、前記近傍型ICチップの識別情報、前記遠隔型ICチップの識別情報、前記チケットの発券場所、目的地または運賃を記憶する手段と、前記チケットによる入場を許可する場所の管理装置に、前記近傍型ICチップの識別情報と前記遠隔型ICチップの識別情報を登録する手段とを有し、
前記チケットによる入場を許可する場所の改札機は、前記利用者が入場のため改札機に接近した場合に、前記利用者が携帯する前記チケットから前記遠隔型ICチップの識別情報を読み込む手段を有し、
前記チケットによる入場を許可する場所の管理装置は、前記チケットによる入場を許可する場所の改札機によって読み込まれた前記遠隔型ICチップの識別情報を予め登録された前記遠隔型ICチップの識別情報と照合する手段と、前記遠隔型ICチップの識別情報の照合に成功した場合に、前記遠隔型ICチップの識別情報に対応する前記近傍型ICチップの識別情報を前記チケットによる入場を許可する場所の改札機に登録する手段とを有し、
前記チケットによる入場を許可する場所の改札機は、前記利用者の入場時に、前記近傍型ICチップの識別情報を予め登録された前記近隔型ICチップの識別情報と照合することにより入場可否を判定する手段を有し、
前記センタ装置は、さらに、前記チケットによる出場を許可する場所の管理装置に、前記近傍型ICチップの識別情報と前記遠隔型ICチップの識別情報を登録する手段を有し、
前記チケットによる出場を許可する場所の改札機は、前記利用者が出場のため改札に接近した場合に、前記利用者が携帯する前記チケットから前記遠隔型ICチップの識別情報を読み込む手段を有し、
前記チケットによる出場を許可する場所の管理装置は、前記チケットによる出場を許可する場所の改札機によって読み込まれた前記遠隔型ICチップの識別情報を予め登録された前記遠隔型ICチップの識別情報と照合する手段と、前記遠隔型ICチップの識別情報の照合に成功した場合に、前記遠隔型ICチップの識別情報に対応する前記近傍型ICチップの識別情報を前記チケットによる出場を許可する場所の改札機に登録する手段とを有し、
前記チケットによる出場を許可する場所の改札機は、前記利用者の出場時に、前記近傍型ICチップの識別情報を予め登録された前記近隔型ICチップの識別情報と照合することにより出場可否を判定する手段を有することを特徴とする自動改札システム。
【請求項５】
改札機と、複数の改札機に接続された管理装置と、複数の管理装置に接続されたセンタ装置と、発券機とを備えた自動改札システムにおいて、
前記発券機は、遠距離通信可能な第１の記憶媒体と近距離通信可能な第２の記憶媒体とを搭載したチケットを利用者に発行する手段と、前記第１の記憶媒体の第１の識別情報と前記第２の記憶媒体の第２の識別情報と前記チケットの情報を前記センタ装置へ送信する手段とを備え、
前記センタ装置は、前記チケットの情報に基づいて前記チケットを利用可能な改札機又は管理装置を特定する手段と、特定された前記管理装置へ前記第１の識別情報と前記第２の識別情報を送信する手段とを備え、
前記管理装置は、前記センタ装置から前記第１の識別情報と前記第２の識別情報を受信した場合に、受信された前記第１の識別情報と前記第２の識別情報を前記管理装置の記憶装置に格納する手段と、前記複数の改札機の１つが前記第１の記憶媒体から前記第１の識別情報を受信した場合に、前記複数の改札機の１つから前記第１の識別情報を受信し、前記第１の識別情報を前記管理装置の記憶装置から検索する手段と、前記第１の識別情報を前記管理装置の記憶装置から検索できた場合に、前記第１の識別情報に対応する前記第２の識別情報を前記管理装置の記憶装置から読み出し、前記複数の改札機へ送信する手段とを備え、
前記改札機は、前記管理装置から受信された前記第２の識別情報を前記改札機の記憶装置に格納する手段と、前記第２の記憶媒体から前記第２の識別情報を受信した場合に、前記第２の識別情報を前記改札機の記憶装置から検索する手段と、前記第２の識別情報を前記改札機の記憶装置から検索できた場合に、前記チケットを所持する利用者の通過を許可する手段を備えることを特徴とする自動改札システム。
【請求項６】
複数の自動改札管理装置に接続されたセンタ装置と複数の改札機とに接続された自動改札管理装置において、
利用者が所持するチケットに搭載された遠距離通信可能な第１の記憶媒体の第１の識別情報と近距離通信可能な第２の記憶媒体の第２の識別情報とを記憶可能な記憶装置と、
前記センタ装置から前記第１の識別情報と前記第２の識別情報を受信した場合に、受信された前記第１の識別情報と前記第２の識別情報を前記記憶装置に格納する手段と、前記複数の改札機の１つが前記第１の記憶媒体から前記第１の識別情報を受信した場合に、前記複数の改札機の１つから前記第１の識別情報を受信し、前記第１の識別情報を前記記憶装置から検索する手段と、前記第１の識別情報を前記記憶装置から検索できた場合に、前記第１の識別情報に対応する前記第２の識別情報を前記記憶装置から読み出し、前記複数の改札機へ送信する手段とを備える処理装置とを備え、
各改札機は、前記処理装置から受信された前記第２の識別情報を各改札機内の記憶装置に格納し、前記第２の記憶媒体から前記第２の識別情報を受信した場合に、前記第２の識別情報を各改札機内の記憶装置から検索し、前記第２の識別情報を各改札機内の記憶装置から検索できた場合に、前記チケットを所持する利用者の通過を許可することを特徴とする自動改札管理装置。
【発明の詳細な説明】
【技術分野】
【０００１】
本発明は、交通機関の乗車券などのチケットを用いた自動改札方法およびそのシステムに係り、特に、ＩＣチップを搭載したチケットを用いた自動改札方法およびそのシステムに関する。
【背景技術】
【０００２】
交通機関の自動改札システムにおいては、近年、定期券やプリペイドカード式乗車券のIC化が進展し、旅客の利便性向上と改札機等の保守コスト削減に寄与している。しかしながら、１回券や回数券等の使い捨て券はチケット媒体の製造コストの課題が解決できないため、依然として磁気式の乗車券が主流となっている。このため、改札機や券売機は磁気式とIC式の双方の乗車券に対応する必要があり、これが改札機や券売機のコスト削減効果を限定的なものとしていた。
【０００３】
これらの課題を解決するために、安価な読み出し専用のICチップを用いて、中央装置のデータベースにチケットの利用情報を記憶し、改札機と中央装置のオンライン処理により改札時の入出場の可否判定を行う方式が特許文献1に記載されている。
【０００４】
また、電子乗車券の利用状況を監視し、該電子乗車券に必要なサービス処理を中央装置から改札機等に配信しておき、該電子乗車券が改札機に入力された際に、該電子乗車券に対応するサービスが登録されている場合に該サービス処理を実行する方式が特許文献2に記載されている。
【０００５】
【特許文献１】特開2006-85287号公報
【特許文献２】特開2002-329176号公報
【発明の開示】
【発明が解決しようとする課題】
【０００６】
しかしながら、特許文献1に記載の方法では、ICチップの製造コストの課題が解決できたとしても、改札通過時にオンラインでセンタと通信して入出場判定を行う必要が生じるため、改札処理の高速化が必要である。
【０００７】
また、特許文献2に記載の方法では、サービスを提供すべき全ての改札機に対して電子乗車券ID、サービスID、サービス実行パラメータを登録する。従って、乗車券数の増加に比例して大量の情報を改札機に登録する必要が生じるため、改札処理のスループット低下を引き起こす。
【０００８】
本発明の第一の目的は、読み出し専用のICチップによる高速な改札処理を実現することにより、交通事業者における改札業務負担およびそのコストを低減する方法およびシステムを提供することにある。
【０００９】
本発明の第二の目的は、入出場を許可／拒否する端末装置に対してサービス提供のために必要な情報を、必要なタイミングで、チケットを特定して配信することにより、改札処理の高スループットを実現する方法およびシステムを提供することにある。
【課題を解決するための手段】
【００１０】
本発明は、交通機関の利用者が券売機にて、目的地または運賃を指定することにより読み出し専用のICチップが格納された交通チケットを発券する。また、発券時に、前記ICチップに割り当てられた固有ID、発券駅、利用者が入力した目的地または運賃を、改札システムを管理するセンタシステムに登録する。この際、前記センタシステムが前記交通チケットによる入場を許可する駅を決定し、入場を許可する駅の改札機に入場を許可するIDリストを配信しておく。利用者が前記交通チケットにて改札機に入場する際には、前記入場を許可するIDリストと前記交通チケットのIDを照合することにより入場可否を判定する。ここで、入場を許可した際には、前記交通チケットの固有ID、入場駅を前記センタシステムに登録し、前記センタシステムが前記交通チケットによる出場を許可する駅を決定し、出場を許可する駅の改札機に出場を許可するIDリストを配信しておく。次に、利用者が前記交通チケットにて改札機を出場する際に、前記出場を許可するIDリストと前記交通チケットのIDを照合することにより出場可否を判定する。
【００１１】
また、交通チケットが近傍型と遠隔型の２つ以上の読み出し専用のICチップを搭載する場合は、交通機関の利用者が券売機にて、近傍型と遠隔型の２つの読み出し専用のICチップが格納された交通チケットを発券する。前記近傍型ICチップの固有ID（S_ID）、前記遠隔型ICチップの固有ID（L_ID）、発券駅、目的地または運賃を、改札システムを管理するセンタシステムに登録する。前記センタシステムが前記交通チケットによる入場を許可する駅のサーバ装置に前記L_ID、S_IDを登録する。入場のため改札機に接近した際、利用者が携帯する交通チケットのL_IDを読み込んで駅サーバにてL_IDを照合する。前記L_IDが登録されていた場合に、対応するS_IDを当駅の所定の改札機に登録する。改札入場時に、前記S_IDを照合することにより入場可否を判定する。前記センタシステムが前記交通チケットによる出場を許可する駅のサーバ装置に前記L_ID、S_IDを登録する。出場のため改札に接近した際、利用者が携帯する交通チケットのL_IDを読み込んで駅サーバにてL_IDを照合する。前記L_IDが登録されていた場合に対応するS_IDを当駅の所定の改札機に登録する。改札出場時に、前記S_IDを照合することにより出場可否を判定する。
【発明の効果】
【００１２】
本発明によれば、読み出し専用のICチップによる高速な改札処理を実現することにより、交通事業者における改札業務コストを低減することができる。
【発明を実施するための最良の形態】
【００１３】
以下、図1〜図12を用いて本発明の内容を説明する。
【００１４】
図1は、読み出し専用ICチップによる改札システムの全体構成である。
【００１５】
本システムは、鉄道事業者が発行する読み出し専用のICチップによる電子乗車券600、および電子乗車券に記録された固有のID情報を読み込むことによって各種のチケットサービスを提供する発券機300、改札機400、精算機500などの駅端末、各駅の駅端末とネットワークで接続される駅サーバ200、各駅の駅サーバとネットワークで接続されるID管理センタ100から構成される。各ID管理センタ100には、複数の駅サーバ200が接続され、各駅サーバ200には、複数の改札機400が接続される。
【００１６】
電子乗車券は、紙媒体やプラスチック媒体などで構成され、その媒体表面又は内部にICチップが付着されているのが好ましい。ICチップは、直接接触にて通信可能な接触型でもよいし、無線にて通信可能な非接触型でもよい。ICチップは、読み出しと書き込みの両方が可能であってもよい。ICチップは、数ｍｍ〜数ｃｍの半導体チップであり、マイコンとメモリを備えるのが好ましい。また、非接触型の場合は、ＩＣチップ内部又は外部（電子乗車券）にアンテナを備えるのが好ましい。
【００１７】
本実施例では、利用者が読み出し専用ICチップが格納された電子乗車券を購入し、該電子乗車券で改札を入場し、交通機関に乗車して目的駅へ移動した後に該電子乗車券で改札を出場する場合を例に、読み出し専用ICチップによる入出場時の改札方法を説明する。
【００１８】
まず、図2〜図9を用いて電子乗車券を発券する際の処理内容を説明する。
【００１９】
図2は、電子乗車券の発券時の処理フローである。発券機は、ステップ1010にて目的地または目的地までの運賃の入力を利用者から受け、ステップ1020にて運賃の支払いのため現金やクレジットカード等を利用者から受け、ステップ1030にて読み出し専用ICチップが格納された電子乗車券を発券する。１つの電子乗車券には、近距離（直接接触又は数ｃｍ〜数十ｃｍ）で通信可能な近傍型と遠距離（数ｍ〜数十ｍ）まで通信可能な遠隔型の2つの読み出し専用のICチップが搭載されている。ICチップには、それぞれ固有の識別番号が割り当てられ、予めICチップ内に記憶されている。以後、近傍型のICチップの識別番号をS_ID、遠隔型のICチップの識別番号をL_IDとする。次に、ステップ1040にて、券売機は発券情報（S_ID、L_ID、発券駅の識別情報、目的駅の識別情報、運賃）を当駅の駅サーバに送信する。ＩＣチップが読み出し専用である場合は、発券駅の識別情報、目的駅の識別情報、運賃はＩＣチップ内に記憶されてない。なお、L_IDは後述する別の手段で取得する方式を選択すれば、発券情報から省略しても良い。発券機は、利用者による交通機関の利用ごとに電子乗車券を発行してもよい。
【００２０】
次に、駅サーバでは、ステップ1050にて発券情報をID管理センタに転送する。
【００２１】
ID管理センタは、処理装置と記憶装置と通信装置とを備え、記憶装置に記憶されたプログラムに従って処理装置が処理を実行する。各機能は、この処理によって実現される。また、記憶装置は各種データベースも記憶する。
【００２２】
図3は、ID管理センタの構成である。
【００２３】
ID管理センタは、電子乗車券毎の利用状況を管理する利用履歴管理DB 112、入出場許可管理DB 113、運賃表114およびこれらのデータベースと連携してID管理業務を遂行するID管理業務アプリケーション111からなるID管理部110、内部時計120、各駅の駅サーバとの通信を制御する通信制御部130から構成され、鉄道事業者が発行する電子乗車券固有の識別番号（S_ID、L_ID）によって個々の電子乗車券の利用状況を管理するとともに、個々の電子乗車券による改札機の入出場を制御する。
【００２４】
図2の説明を続ける。ID管理センタでは、ステップ1050から該発券情報を受信すると、ステップ1060にて、利用履歴管理DBに発券情報を登録（格納）する。
【００２５】
図4は、利用履歴管理DBの構成である。利用履歴管理DBは、初期状態では、鉄道事業者（発券機）が発券したあるいはこれから発券する全ての電子乗車券の利用履歴を管理するデータベースであり、初期状態は全てのレコードにNULLが設定され、発券情報としてS_ID、L_ID、発券駅の識別情報、運賃が設定される。
【００２６】
なお、利用履歴管理DBに、発売前の電子乗車券に対してS_ID、L_IDを初期登録しておいても良い。この場合は、先のステップ1040にて発券情報からL_IDを省略することができる。
【００２７】
次に、ステップ1070にて発券情報をもとに該発券情報に対応する電子乗車券の入場を許可する駅のリストを作成する。ここで、どの駅を入場許可とするかは、交通事業者の運用規則に依存するが、本実施例では、入場許可駅は発券駅のみとする。ただし、発券駅とは異なる駅を入場許可駅としてもよいし、複数の駅を入場許可駅としてもよい。発券駅に対する入場許可駅は予め設定され、入場許可リストの作成の際に読み出され入場許可リストに設定される。続いて、ステップ1080にて、入場可能な時間制限を設定するとともに、ステップ1070で決定した全ての入場許可駅の駅サーバに対して入場を許可する電子乗車券の識別番号（S_ID、L_ID、入場期限）を入場許可証として配信する。この際、入場期限の設定方法は交通事業者の運用規則に依存する。なお、入場期限は駅毎に個別の値を設定する方式としても良い。入場期限の設定はなくてもよい。
【００２８】
ID管理センタが入場許可駅の駅サーバに対してのみ電子乗車券の識別番号を配信することにより、入場許可駅でない駅サーバが不要なデータを保持するのを防止することができ、また、各駅サーバでの電子乗車券の識別番号の検索効率を向上することができる。ID管理センタが駅サーバに対して電子乗車券の識別番号を予め配信して駅側（駅サーバ及び改札機）にて入場の許可／拒否を判定することにより、利用者の入場ごとに入場の許可／拒否の判定をID管理センタへ問い合わせる必要がなく、入場の許可／拒否の判定を迅速に行うことができる。
【００２９】
ID管理センタでは、ステップ1080に続いて、ステップ1090にて配信情報である電子乗車券の識別番号をもとに入出場許可管理DBを更新する。
【００３０】
図5は、入出場許可管理DBの構成である。入出場許可管理DBは、L_ID毎に、S_ID、入場を許可する駅リスト、入場期限、出場を許可する駅リスト、出場期限等の情報が管理される。従って、ステップ1090では、L_IDのレコードが新たに追加され、S_ID、入場許可駅リスト、入場期限が新規に登録される。
【００３１】
一方、ステップ1080で配信された入場許可は、入場を許可された駅サーバにて受信され、ステップ1100で駅サーバ内の入出場許可駅管理DBに格納される。
【００３２】
駅サーバは、各駅に設置され、処理装置と記憶装置と通信装置とを備え、記憶装置に記憶されたプログラムに従って処理装置が処理を実行する。
【００３３】
図6は、駅サーバの構成である。駅サーバは、入出場許可駅管理DB 212およびこのデータベースと連携して駅毎の入出場管理業務を遂行する入出場管理業務アプリケーション211からなる駅入出場管理部210、内部時計220、ID管理センタおよび駅端末との通信を制御する通信制御部230から構成され、電子乗車券による当駅改札機の入出場を制御する。
【００３４】
図7は、入出場許可駅管理DBの構成である。入出場許可駅管理DBは、L_ID毎に、S_ID、入場許可の有無を示す入場許可フラグ、入場許可の当駅改札機への配信状態を示す入場許可配信フラグ、入場期限、出場許可の有無を示す出場許可フラグ、出場許可の当駅改札機への配信状態を示す出場許可配信フラグ、出場期限等の情報が管理される。従って、ステップ1100では、L_IDのレコードが新たに追加され、S_ID、入場許可フラグ「有効」、入場期限が新規に登録される。ただし、入場許可フラグ、入場許可配信フラグ、入場期限、出場許可フラグ、出場許可配信フラグ、出場期限は、必須ではない。
【００３５】
次に、ステップ1110にて、ステップ1100で登録された入場許可を即時に当駅の改札機に配信する必要があるか否か判断する。この判断については、鉄道事業者の運用規則（例えば入場許可は即事配信し、出場許可は即時配信しない）に依存する。ここで、即時配信が必要と判断された場合には、入出場許可駅管理DBの入場許可配信フラグを「配信済み」に設定するとともに、S_ID、入場期限を当駅の稼動中の全改札機に配信する。
【００３６】
改札機は、各駅に設置され、処理装置と記憶装置と通信装置とを備え、記憶装置に記憶されたプログラムに従って処理装置が処理を実行する。
【００３７】
図8は、改札機の構成である。改札機は、入場許可リスト 412、出場許可リスト413およびこれらのリストと連携して改札時の入出場の可否を判断する改札業務アプリケーション411からなる改札部410、内部時計420、駅サーバとの通信を制御する通信制御部430、遠隔型ICチップのL_IDを読み込む遠隔型ICチップ読込装置440、近傍型ICチップのS_IDを読み込む近傍型ICチップ読込装置450、ゲート制御装置460から構成され、電子乗車券による入出場を制御する。
【００３８】
図9は、入場許可リストの構成である。入場許可リストは、昇順または降順にソートされたS_ID毎に、登録日時、入場期限等の情報が管理される。
【００３９】
改札機はS_ID、入場期限を駅サーバから受信すると、ステップ1120で入場許可リストに受信したS_ID、入場期限を追加するとともに入場許可リストをS_IDで昇順または降順にソートする。ソートにより、改札機による検索速度を向上することができる。
【００４０】
続いて、改札を入場する際の処理内容を説明する。
【００４１】
図10は、改札入場時の処理フローである。
【００４２】
改札入場時の処理は、該電子乗車券を購入した利用者が、該電子乗車券を所持して改札機に接近した際に、改札機または改札機近辺に設置された遠隔型ICチップ読込装置と、該電子乗車券に搭載された遠隔型ICチップが相互認証を行い通信状態に入ると、ステップ2010にて遠隔型ICチップ読込装置は、遠隔型ICチップの固有IDであるL_IDを遠隔型ICチップを要求して取得し、当駅の駅サーバに送信する。駅サーバは、L_IDを受信すると、ステップ2020で駅サーバ内の入出場許可駅管理DBを参照し、ステップ2030にて同一のL_IDがデータベースに存在するか否か判定する。ここで、同一のL_IDが存在し、かつ、入場許可フラグ（または出場許可フラグ）が有効かつ、入場許可配信フラグ（または出場許可配信フラグ）が「未配信」の場合に、入場／出場の識別子、S_ID、入場期限、（または出場期限）を当駅の稼動中の全改札機に配信する。なお、配信先は、L_IDを送信した改札機が設置された改札口の稼動中の全改札機に対してのみ配信しても良い。
【００４３】
S_ID、入場期限、（または出場期限）を受信した改札機は、ステップ2040にて、入場許可リスト（または出場許可リスト）にS_ID、入場期限、（または出場期限）を追加し、S_IDにてリストを昇順または降順にソートする。
【００４４】
続いて、利用者が、該電子乗車券を所持して改札機を入場する際に、改札機に設置された近傍型ICチップ読込装置と、該電子乗車券に搭載された近傍型ICチップが相互認証を行い通信状態に入ると、ステップ2040にて近傍型ICチップ読込装置は、近傍型ICチップの固有IDであるS_IDを近傍型ICチップから取得し、ステップ2050にて改札機内の入場許可リストを参照し、同一のS_IDがリストに存在するか否か判定する。ここで、入場許可リストに同一のS_IDが存在しない場合には、ステップ2060にてゲートを閉じ、利用者の入場を阻止する。
【００４５】
一方、ステップ2050にて同一のS_IDが存在した場合には、S_IDを駅サーバに送信するとともに、利用者の通過を許可する。駅サーバはステップ2070にて受信したS_ID、駅サーバで保持する入場駅の識別情報をID管理センタに転送する。ID管理センタは、ステップ2080でS_ID、入場駅の識別情報を受信すると、利用履歴管理DBのS_IDに該当するレコードに入場駅の識別情報を登録するとともに、ステップ2090にて、発券駅の識別情報、入場駅の識別情報、運賃情報および入場駅と出場駅と運賃を規定した運賃表から出場を許可する駅リストを作成する。例えば、ID管理センタは、入場駅から運賃情報の運賃にて利用可能な出場駅を、運賃表から検索し、検索された出場駅を駅リストとして作成する。  S_IDのチェックを改札機にて行うことにより、利用者の入場ごとに入場の許可／拒否の判定を駅サーバへ問い合わせる必要がなく、入場の許可／拒否の判定を迅速に行うことができる。つまり、S_IDのチェックは１秒程度で行う必要があることから改札機で行い、L_IDのチェックは数秒から数分程度要してもよいことから駅サーバで行う。ただし、L_IDのチェックも改札機で行うようにしてもよい。
【００４６】
続いて、ステップ2100にて、出場期限を設定するとともに、全ての出場許可駅に対してS_ID、L_ID、出場期限を配信する。この際、出場期限の設定方法は交通事業者の運用規則に依存する。なお、出場期限は駅毎に個別の値を設定する方式としても良い。出場期限の設定はなくてもよい。
【００４７】
ID管理センタが出場許可駅の駅サーバに対してのみ電子乗車券の識別番号を配信することにより、出場許可駅でない駅サーバが不要なデータを保持するのを防止することができ、また、各駅サーバでの電子乗車券の識別番号の検索効率を向上することができる。ID管理センタが駅サーバに対して電子乗車券の識別番号を予め配信して駅側（駅サーバ及び改札機）にて出場の許可／拒否を判定することにより、利用者の出場ごとに出場の許可／拒否の判定をID管理センタへ問い合わせる必要がなく、出場の許可／拒否の判定を迅速に行うことができる。
【００４８】
次に、ID管理センタでは、ステップ2110にて入出場許可管理DBの該当するL_IDのレコードに出場許可駅リスト、出場期限を登録する。
【００４９】
一方、ステップ2100で配信した出場許可は、ステップ2120にて駅サーバで受信され、駅サーバの入出場許可駅管理DBに該当するL_IDのレコードが新規に作成され、S_ID、出場許可フラグ「有効」、出場場期限が登録される。
【００５０】
次に、ステップ2130にて、出場許可を即時に当駅の改札機に配信すべきか否かを鉄道事業者の運用規則により判断する。ここで、即時配信が必要と判断された場合には、入出場許可駅管理DBの出場許可配信フラグを「配信済み」に設定するとともに、S_ID、出場期限を当駅の稼動中の全改札機に配信する。
【００５１】
改札機では、ステップ2140でS_ID、出場期限を受信すると、出場許可リストにS_ID、出場期限を追加して出場許可リストをS_IDで昇順または降順にソートする。
【００５２】
図11は、出場許可リストの構成である。出場許可リストは、昇順または降順にソートされたS_ID毎に、登録日時、出場期限等の情報が管理される。
【００５３】
続いて、改札を出場する際の処理内容を説明する。
【００５４】
図12は、改札出場時の処理フローである。改札出場時の処理は、利用者が、該電子乗車券を所持して出場駅の改札機に接近した際に、改札機または改札機近辺に設置された遠隔型ICチップ読込装置と、該電子乗車券に搭載された遠隔型ICチップが相互認証を行い通信状態に入ると、ステップ3010にて遠隔型ICチップ読込装置は、遠隔型ICチップの固有IDであるL_IDを取得し、当駅の駅サーバに送信する。駅サーバは、L_IDを受信すると、ステップ3020で駅サーバ内の入出場許可駅管理DBを参照し、ステップ3030にて同一のL_IDがデータベースに存在するか否か判定する。ここで、同一のL_IDが存在し、かつ、出場許可フラグ（または入場許可フラグ）が有効かつ、出場許可配信フラグ（または入場許可配信フラグ）が「未配信」の場合に、入場／出場の識別子、S_ID、出場期限、（または入場期限）を当駅の全改札機に配信する。なお、入場時の処理と同様に、配信先は、L_IDを送信した改札機が設置された改札口の稼動中の全改札機に対してのみ配信する構成としても良い。
【００５５】
S_ID、出場期限、（または入場期限）を受信した改札機は、ステップ3040にて、出場許可リスト（または入場許可リスト）にS_ID、出場期限、（または入場期限）を追加し、S_IDにてリストを昇順または降順にソートする。
【００５６】
続いて、利用者が、該電子乗車券を所持して改札機を出場する際に、改札機に設置された近傍型ICチップ読込装置と、該電子乗車券に搭載された近傍型ICチップが相互認証を行い通信状態に入ると、ステップ3050にて近傍型ICチップ読込装置は、近傍型ICチップの固有IDであるS_IDを取得し、ステップ3060にて改札機内の出場許可リストを参照し、同一のS_IDがリストに存在するか否か判定する。ここで、出場許可リストに同一のS_IDが存在しない場合には、ステップ3070にてゲートを閉じ、利用者の出場を阻止する。
【００５７】
一方、ステップ3060にて同一のS_IDが存在した場合には、S_ID、出場駅を駅サーバに送信するとともに、利用者の通過を許可する。駅サーバはステップ3080にて受信したS_ID、出場駅をID管理センタに転送する。ID管理センタは、ステップ3090でS_IDを受信すると、ステップ3090にて利用履歴管理DBの該当するS_IDのレコードに出場駅を登録する。
【００５８】
次に、ステップ3100にて、入出場許可管理DBから該当するL_IDの全レコードを削除するとともに、該L_IDに対する入出場許可の配信駅に対して、該L_IDの入出場許可に関する全データの消去を要求する。駅サーバでは、データ消去要求を受信すると、ステップ3110にて、駅サーバ内の該当データを消去するとともに、改札機に対して、該当データの消去を要求する。改札機は、データ消去要求を受信するとステップ3120にて、入場許可リスト、出場許可リストから該当するデータを削除する。ここで、これらのデータ削除処理は、ID管理センタ、駅サーバ、改札機の内部時計から得られる現在時刻と入出場許可データの期限時刻を定期的に比較して、各機器が入出場許可データの有効性を判断して自ら削除する構成としても良い。
【００５９】
S_IDのチェックを改札機にて行うことにより、利用者の出場ごとに出場の許可／拒否の判定を駅サーバへ問い合わせる必要がなく、出場の許可／拒否の判定を迅速に行うことができる。  
なお、本実施例では、電子乗車券に近傍型と遠隔型の2つの読み出し専用のICチップを搭載した読み出し専用ICチップによる改札方法を説明したが、電子乗車券に近傍型のICチップのみ搭載し、改札通過時に該ICチップのIDと改札機あるいは駅サーバに格納した入出場許可リストを照合することにより改札処理を行う構成としても良い。近傍型と中距離型と遠隔型の３つ以上の読み出し専用のICチップを１つの電子乗車券に搭載してもよい。
【００６０】
また、本実施例では、入場時、出場時のそれぞれにIDチェックを行う例を示したが、入場時のIDチェックは省略しても良い。さらに、本実施例では、事前に券売機で電子乗車券を発券する例を示したが、入場時に改札機で電子乗車券を発券し、出場時までに駅構内の端末機等から目的地または運賃を入力し、運賃を支払う構成としても良い。
【００６１】
また、駅サーバの機能が改札機やID管理センタにあってもよく、ID管理センタの機能が駅サーバにあってもよい。
【００６２】
読み出し専用ICチップによる自動改札方法は、交通機関の電子乗車券改札システムだけでなく、イベント会場等、様々な電子入場券の改札システムに幅広く応用できる。
【産業上の利用可能性】
【００６３】
本発明は、鉄道などの自動改札システムに適用できる。
【図面の簡単な説明】
【００６４】
【図１】読み出し専用ICチップによる改札システムの全体構成である。
【図２】電子乗車券の発券時の処理フローである。
【図３】ID管理センタの構成である。
【図４】利用履歴管理DBの構成である。
【図５】入出場許可管理DBの構成である。
【図６】駅サーバの構成である。
【図７】入出場許可駅管理DBの構成である。
【図８】改札機の構成である。
【図９】入場許可リストの構成である。
【図１０】改札入場時の処理フローである。
【図１１】出場許可リストの構成である。
【図１２】改札出場時の処理フローである。
【符号の説明】
【００６５】
100…ID管理センタ、200…駅サーバ、300…発券機、400…改札機、500…精算機、600…電子乗車券、212…入出場許可駅管理DB、112…利用履歴管理DB、113…入出場許可管理DB、114…運賃表、412…入場許可リスト、413…出場許可リスト
【図１】
2008033700.tif 000003
【図２】
2008033700.tif 000004
【図３】
2008033700.tif 000005
【図４】
2008033700.tif 000006
【図５】
2008033700.tif 000007
【図６】
2008033700.tif 000008
【図７】
2008033700.tif 000009
【図８】
2008033700.tif 000010
【図９】
2008033700.tif 000011
【図１０】
2008033700.tif 000012
【図１１】
2008033700.tif 000013
【図１２】
2008033700.tif 000014